(57)【要約】【課題】開口部から露出した後頭部を浴槽の縁に預けることで、楽な姿勢で入浴することができ、特に半身浴に好適な浴槽カバーを提供することを目的とする。【解決手段】浴槽カバー１０は、カバー本体１２、横木状部材１４、クッション部１６等で構成され、カバー本体１２には、開口部２０が形成される。浴槽の縁の一部を露出させる位置に配置した開口部２０から頭Ｄを露出させた状態で、浴槽カバー１０と既存の浴槽用シャッターＢを閉じ合わせることで、上半身を含む身体を浴槽内に閉じ込めるとともに、後頭部を浴槽の縁に掛けた状態で身体を伸張した姿勢で入浴する。【選択図】図３
0003114075.tif 000002
【実用新案登録請求の範囲】
【請求項１】
平面形状保持性を有する軽量材料で浴槽の開口の一部を覆う大きさの平板状に形成され、人の頭を露出させることのできる開口部を有し、浴槽に入る人の身長方向の該開口部の一端を浴槽の縁の一部を露出させる位置に配置して用いられることを特徴とする浴槽カバー。
【請求項２】
表裏面に金属箔を設けてなることを特徴とする請求項１記載の浴槽カバー。
【請求項３】
浴槽に入る人の身長に直交する方向の一側に剛性を有する材料からなる横木状部材が設けられてなることを特徴とする請求項１または２記載の浴槽カバー。
【請求項４】
前記開口部から頭を露出させた人の顎が当たる箇所にクッション部が設けられるとともに、後頭部が当たる箇所に枕部が設けられてなることを特徴とする請求項１〜３のいずれか１項に記載の浴槽カバー。
【考案の詳細な説明】
【技術分野】
【０００１】
本考案は、浴槽内を効率的に保温し、さらに必要に応じてサウナあるいは蒸し風呂と同様の効果を得るために用いられ、人の頭を露出させることのできる開口部を有する浴槽カバーに関するものである。
【背景技術】
【０００２】
近年、家庭で簡単にサウナあるいは蒸し風呂を楽しむことができる装置が種々提案されている。
【０００３】
例えば、コンパクトな簡易サウナユニットが商品化されている。
しかしながら、この場合、設備費用が高価であるとともに、電力等のエネルギを多大に必要とする。
【０００４】
これに対して、浴槽自体をサウナ構造とし、このとき、頭を露出させる開口を形成した浴槽カバーを用いるシステムが数多く提案されている（例えば、特許文献１〜３参照。）。
また、このとき、頭を露出させる開口を形成した浴槽カバーに代えて、枠体状に形成した、空気袋あるいは板材の中央に、可撓性のあるシート材の筒を設け、その筒の中から頭を露出した状態でシート材の首元部分を縛る構造のものも提案されている（特許文献４参照。）。
これら浴槽自体をサウナ構造としたものは、浴室内が高温化することによる不都合は生じないが、高価な設備費用と電力等のエネルギを多大に要する点については、上記簡易サウナユニットの場合と大差ない。
【０００５】
ところで、近年、いわゆる半身浴が、健康、美容、ストレス解消に好ましい入浴法として普及しつつある。
特に、高齢者や病弱者にとっては、ややぬるめの湯に下半身を長時間浸す上記半身浴は、通常の入浴法に比べて水圧や温度による身体への負担が軽減されるため、望ましい入浴法といえる。
【０００６】
しかしながら、例えば冬季等においては、浴室内の温度が低く、湯から露出している上半身が冷えてしまい、不都合である。
【０００７】
この不都合を解消するために、浴室内に蒸気あるいは温風を供給する装置を設けたユニットバスを用いることが考えられるが、設備費用等の問題があるとともに、特に、上記のように、半身浴はややぬる目の湯に長時間入浴するものであるため、浴室内を高めの温度に保持することは不要であり、また適当ではない。
また、前記した浴槽自体をサウナ構造としたものを用いることも考えられるが、設備費用等の問題があるとともに、このような設備は半身浴には適当ではなくむしろ不要である。
【０００８】
半身浴を行う観点から、前記各方式に代えて、浴槽の湯から発生する蒸気を利用して上半身を暖める方法も提案されている。
【０００９】
すなわち、入浴者の首に被着して浴槽の上面を覆うケープが提案されている（特許文献５参照。）。
また、前記の浴槽自体をサウナ構造としたときに用いる、頭を露出させる開口を形成した浴槽カバーのみを、既存の浴槽カバーに代えて使用することも考えられる。
【００１０】
これらの浴槽の湯から発生する蒸気を利用して上半身を暖める方法は、サウナの蒸気と異なり、比較的低温の蒸気を利用するものであるため、半身浴に好ましいことは明らかであり、また、サウナの場合に比べて設備費用やエネルギをほとんど必要としない利点を有する。
【特許文献１】特開２００３−２７５２７１号公報
【特許文献２】実開昭６３−１０３６３２号公報
【特許文献３】実用新案登録第３１０４０８３号公報
【特許文献４】特開平１０−２１６０３６号公報
【特許文献５】特開２００５−４６２０５号公報
【考案の開示】
【考案が解決しようとする課題】
【００１１】
しかしながら、上記のケープを用いる方法の場合、必ずしも安価ではないと思われるケープを購入することが必要であり、また、ケープを被着することは、例えば上記半身浴のときにケープが身体にまとわりつく等によりリラックス感が損なわれるおそれもある。
一方、サウナに用いる浴槽カバーについては、既に使用しているものに代えて専用のものを用いることが必要となる。また、サウナでは、上半身から頭部までをほぼ直立させた姿勢で入浴するため、浴槽カバーは円状の開口を設ける等の簡易な構造のものや、特殊なケースとして、シート材の首元部分を縛る構造のものが使用されるが、このような浴槽カバーは、リラックスした姿勢を得ることができず、必ずしも適当ではない。
【００１２】
本考案は、上記の課題に鑑みてなされたものであり、開口部から露出した後頭部を浴槽の縁に預けることで、楽な姿勢で入浴することができ、特に半身浴に好適な浴槽カバーを提供することを目的とする。
【課題を解決するための手段】
【００１３】
本考案に係る浴槽カバーは、平面形状保持性を有する軽量材料で浴槽の開口の一部を覆う大きさの平板状に形成され、人の頭を露出させることのできる開口部を有し、浴槽に入る人の身長方向の該開口部の一端を浴槽の縁の一部を露出させる位置に配置して用いられることを特徴とする。
【００１４】
また、本考案に係る浴槽カバーは、表裏面に金属箔を設けてなることを特徴とする。
【００１５】
また、本考案に係る浴槽カバーは、浴槽に入る人の身長に直交する方向の一側に剛性を有する材料からなる横木状部材が設けられてなることを特徴とする。
【００１６】
また、本考案に係る浴槽カバーは、前記開口部から頭を露出させた人の顎が当たる箇所にクッション部が設けられるとともに、後頭部が当たる箇所に枕部が設けられてなることを特徴とする。
【考案の効果】
【００１７】
本考案の浴槽カバーは、平面形状保持性を有する軽量材料で浴槽の開口の一部を覆う大きさの平板状に形成され、人の頭を露出させることのできる開口部を有し、浴槽に入る人の身長方向の該開口部の一端を浴槽の縁の一部を露出させる位置に配置して用いられるため、開口部から露出した後頭部を浴槽の縁の浴槽カバー部分に預けることで、楽な姿勢で入浴することができ、特に半身浴に好適である。
また、既存の浴槽カバーと併用することで、簡易な構造の安価な浴槽カバーで所望の保温効果を得ることができ、例えば湯温を高めることでサウナあるいは蒸し風呂を楽しむことができる。
【考案を実施するための最良の形態】
【００１８】
本考案の実施の形態について、以下に説明する。
【００１９】
本考案の浴槽カバーの一例について、浴槽カバーの平面図である図１を参照して説明する。
【００２０】
浴槽カバー１０は、カバー本体１２と、横木状部材１４と、クッション部１６と、枕部１８とで構成される。カバー本体１２には、開口部２０が形成される。
【００２１】
カバー本体１２は、平面形状保持性を有する軽量材料で平板状に形成される。ここで、平面形状保持性とは、外力を加えても変形しない程度の大きな剛性を備えるまでは必要とせず、平板形状に形成したものを水平に保持したときに、重力で撓むことのない程度の剛性を備えたものをいう。但し、本考案で用いる材料としては、外力を加えても変形しない程度の大きな剛性を備えたものも含む。このような平面形状保持性を有し、かつ軽量のカバー本体１２の材料として、好適には例えば発泡樹脂を用いることができる。また、カバー本体１２として、厚みの薄い樹脂板、金属板、木平板を用いてもよい。このようなカバー本体１２は、安価に得ることができ、また、取り扱いが容易である。
【００２２】
このとき、カバー本体１２の表裏面に金属箔を設けてもよい。
金属箔は、例えばアルミニウム箔、銀箔等を用いることができる。金属箔を設けることにより、浴槽カバー１０を使用するときの保温効果を高めることができ、また、特に、銀箔の場合は、殺菌効果等も期待できる。また、材料として発泡樹脂を用いる場合、発泡樹脂をむき出しにせず金属箔で覆うことにより、意匠性が高まる。
【００２３】
カバー本体１２は、詳細を後述するように、浴槽の開口の一部を覆う大きさに形成される。
【００２４】
浴槽カバー１０のカバー本体１２には、人の頭を露出させることのできる大きさの、円状の開口部２０が形成される。
開口部２０は、特定の人の頭が通る程度の大きさに形成して、浴槽カバー１０をその人の専用とすると、保温効果上より好適であるが、これに限らず、不特定多数の人が使用できるように、開口部２０を大き目の寸法に形成してもよい。また、開口部２０に連通してカバー本体１２の横木状部材１４が設けられた側とは反対側の一側に延びるスリットを形成しておくと、スリットを挟んでカバー本体１２の端部を開閉して用いることで、頭の大きさの大小に関わらず人の頭を容易に露出させることができる。また、開口部は、カバー本体１２の横木状部材１４が設けられた側とは反対側の一側に例えばＵ字切り欠き状に形成してもよい。
【００２５】
カバー本体１２に接続して、好適には、横木状部材１４が浴槽に入る人の身長の方向（図３中、Ｘ−Ｘ方向）に直交する方向（図３中、Ｙ−Ｙ方向）の一側に設けられる。横木状部材１４は、木板、硬質樹脂板あるいは金属板等の大きな剛性を有する材料で、カバー本体１２の幅とほぼ同一寸法の長さに形成される。
横木状部材１４を設けることで、例えば、カバー本体１２を発泡樹脂で形成した場合には、カバー本体１２の形状安定性を高めることができ、また、取り扱う際に横木状部材１４を手に持って行うことで、取り扱いが容易となるとともに、カバー本体１２の損傷を防ぐことができる。また、詳細をつぎに説明するクッション部１６に顎を乗せるときに、安定した姿勢を得ることができる。
【００２６】
浴槽カバー１０は、好ましくは、クッション部１６と枕部１８とを備える。
クッション部１６は、開口部２０から頭を露出させた人の顎が当たる横木状部材１４の部分に、顎を乗せることができる、例えば半円形状に設けられる。クッション部１６の材料は特に限定するものではないが、弾力性を有する樹脂を好適に用いることができる。クッション部１６は、図示するように、横木状部材１４およびカバー本体１２の表面から開口部２０の内面に掛けて、さらにはカバー本体１２の裏面を覆うように形成してもよいが、これに限らず、カバー本体１２の表面のみに形成してもよい。
枕部１８は、カバー本体１２の後頭部が当たる箇所に後頭部を乗せることができる形状に設けられる。枕部１８の材料は特に限定するものではなく、例えば通常の枕に防水加工を施したものを用いてもよく、あるいはまたアイスノン（登録商標）等の水枕や氷枕を用いてもよい。
これらクッション部１６および枕部１８は、カバー本体１２に固着して設けたものであってもよく、あるいはまたカバー本体１２に着脱可能に取り付けたものであってもよい。また、必要に応じてクッション部１６および枕部１８の一方または双方を省略してもよい。
【００２７】
つぎに、上記浴槽カバー１０の使用方法について、図２および図３を参照して説明する。図２は、浴槽カバー１０を浴槽に配置した状態を示す図であり、図３は、人が浴槽に入った状態を示す図である。なお、図２および図３において、枕部１８は図示を省略している。  また、図２中、矢印Ｃは、先に本出願人が提案した、半身浴に好適な入浴用折り畳み椅子を示すが（実用新案登録第３１０８２１８号参照。）、この入浴用折り畳み椅子に代えて、風呂用の座椅子を用いてもよく、あるいは、これらの椅子を用いなくてもよい。
【００２８】
浴槽カバー１０を使用するとき、湯を張った浴槽（図２中、矢印Ａで示す。）の開口（上面）に被せる既存の浴槽カバー（以下、浴槽カバー１０と区別するため、浴槽用シャッターと呼ぶ。図２中、矢印Ｂで示す。）は、半開きの状態、あるいは、浴槽Ａから完全に外した状態としておく。
そして、浴槽Ａから外しておいた浴槽カバー１０の横木状部材１４の部分を手に持って、浴槽カバー１０を浴槽Ａ上に移動させ、開口部２０の浴槽Ａの縁ａ側に位置する一端を縁ａの一部を露出するようにして配置する。なお、図２は、浴槽カバー１０の配置状態をわかりやすく説明するために、予め浴槽Ａに配置して示したものであり、実際には、人が浴槽Ａに入る前は、浴槽カバー１０を外しておいてもよい。また、図２では、入浴用折り畳み椅子Ｃの枕が浴槽Ａの縁ａの上に位置した状態を示し、これにより、浴槽Ａと浴槽カバー１０との間にわずかに隙間を生じる。
【００２９】
図２の状態から、人が浴槽Ａ内に入り、入浴用折り畳み椅子Ｃに座って、体を浴槽Ａの長手方向（図３中、Ｘ１−Ｘ１方向）に伸ばして、浴槽カバー１０の開口部２０を挿通して頭（図３中、矢印Ｄで示す。）を露出させ、身長方向と横木状部材１４の長手方向を交差させるとともに、顎をクッション部１６に乗せ、後頭部を浴槽Ａの縁ａのカバー本体１２の部分に掛け（ここでは、縁ａに乗った入浴用折り畳み椅子Ｃの枕からカバー本体１２にわたって後頭部を掛ける。）、あるいは枕部１８を有するときは、後頭部を枕部１８に乗せる。そして、浴槽用シャッターＢを横木状部材１４まで引き寄せて閉じ合わせることにより、頭Ｄのみを露出した状態で、上半身を含む身体は、浴槽用シャッターＢおよび浴槽カバー１０で覆われた浴槽Ｂ内に実質的に密閉される。
【００３０】
本考案の浴槽カバー１０を用いることにより、ゆったりとした姿勢で入浴して、上半身を湯から発生する蒸気によって暖めることができる。
このとき、湯温を例えば４０℃以下程度のぬるめに設定すると、風呂場の雰囲気温度が低い冬季等においても、格別に暖房手段を用いることなく、湯から露出した上半身を冷ますことなく、快適に半身浴を行うことができる。また、湯温を例えば４６℃以上程度のあつめに設定すると、サウナあるいは蒸し風呂に入った状態に近い効果を得ることができる。
また、本考案の浴槽カバー１０は、簡易な構造であり、また、浴槽用シャッターＢと組み合わせて用いるため、安価に得ることができる。
また、本考案の浴槽カバー１０は、平面形状保持性を有するため、使用しないときには、浴室の隅壁に立てかけておくことができ、邪魔にならない。
なお、本実施の形態に関わらず、浴槽カバーを、既存の浴槽用シャッターに見られるような折り畳み可能な構造とすることを排除するものではない。
【図面の簡単な説明】
【００３１】
【図１】本考案の浴槽カバーの平面図であるである。
【図２】本考案の浴槽カバー１０を浴槽に配置した状態を示す図である。
【図３】図２の状態から、さらに人が浴槽に入った状態を示す図である。
【符号の説明】
【００３２】
１０  浴槽カバー
１２  カバー本体
１４  横木状部材
１６  クッション部
１８  枕部
【図１】
0003114075.tif 000003
【図２】
0003114075.tif 000004
【図３】
0003114075.tif 000005